(57)【要約】【課題】家具や自動車・食器・浴槽などいろいろなものに付着した汚れを洗剤なしで拭き取ることが出来る上にコストの低減化も出来、ゴミの減少にも貢献できるスポンジクリーナー及びその製造方法を提供することを課題とする。【解決手段】メラミン樹脂を発泡させて連続気泡体に形成されたメラミンスポンジ層（１）と脱着可能な素材（２）を直接、特殊接着剤で２層に張り合わせてクリーナー部分（３）とすることを特徴とするスポンジクリーナーのクリーナー部分（３）の製造方法、及びこのクリーナー部分（３）と、裏面に脱着部分（５）を有する取っ手（４）とを脱着部分（５）で合わせたことを特徴とするスポンジクリーナー。【選択図】図１
2006212393.tif 000002
【特許請求の範囲】
【請求項１】
メラミン樹脂を発泡させて連続気泡体に形成されたメラミンスポンジ層（１）と脱着可能な素材（２）を直接、特殊接着剤で２層に張り合わせてクリーナー部分（３）とすることを特徴とするスポンジクリーナーのクリーナー部分（３）の製造方法。
【請求項２】
請求項１記載の製造方法でなしたクリーナー部分（３）と、裏面に脱着部分（５）を有する取っ手（４）とを脱着部分（５）で合わせたことを特徴とするスポンジクリーナー。
【発明の詳細な説明】
【技術分野】
【０００１】  本発明は、スポンジクリーナー及びその製造方法に関する。詳しくはメラミン樹脂を発泡させて連続気泡体に形成されたメラミンスポンジ層と布製ファスナーのメス面の役割を果たす脱着可能な素材を張り合わせてなしたスポンジクリーナーの製造方法及びその応用に関する。
【背景技術】
【０００２】  従来より、特許文献１に代表されるようにメラミン樹脂を発泡させて連続気泡体に形成されたメラミンスポンジは、家具や自動車・食器など色々なものに付着した汚れを、洗剤を使わずに製品を傷つけることなく拭き取ることが出来ることはよく知られていた。【０００３】
【特許文献１】公開番号：特許公開２０００−３４２５０２    公開日：２０００年１２月１２日    出願人：三和化工株式会社    発明者：中村  伸也    発明の名称：スポンジクリーナー
【０００４】  使用方法として一般的には、メラミンスポンジのみを単体で使用する方法と、メラミンスポンジ層とウレタン樹脂素材を発泡させたウレタンスポンジ層の２重構造にして使用する方法のものがあった。（特許文献２参照）【０００５】
【特許文献２】登録番号：登録実用新案第３０７７３６９号    登録日：２００１年１０月３０日    実用新案権者：株式会社サンワ福岡    考案者：水上  明    考案の名称：多目的スポンジたわし
【０００６】  メラミンスポンジ層は洗剤を使わなくても色々な汚れを拭き取ることが出来るが接着が難しいという欠点があるため、接着しやすいウレタンスポンジ層と組み合わせての使用が主流であった。
さらに上記の２重構造のものを改善して、メラミンスポンジとその上にウレタンスポンジを設けその上に布製フスナーのメス面を張り合わせた３層構造にして、布製フスナーのオス面をつけた取っ手を付けて使用する方法のものもあった。
【発明の開示】
【発明が解決しようとする課題】
【０００７】  しかしながらそれらの方法にはそれぞれ問題点があった。つまりメラミンスポンジのみを単体で使用するとメラミンスポンジを手で持つことになり手の脂分が取れる恐れがあるため人体にとってはよいものではなかった。それを改善したものが取っ手をつけて脱着可能にして、スポンジ部分が磨耗して使用できなくなっても、取替えを可能にした訳だがこれにも問題点があった。【０００８】  本発明はこの問題点を解消するために発明されたものである。最下層部のメラミンスポンジ層は硬質のためもろい上に減りが早く使用箇所により片べりしていた。又、実際にクリーナーとして使用出来る部分は、メラミンスポンジ層部分のみでウレタンスポンジ層はクリーナーとしては使用出来ないためメラミンスポンジ層が磨耗して無くなればゴミとして廃棄処分するしか手立てはなかった。従ってウレタンスポンジ層をなくしてメラミンスポンジ層と布製フスナーのメス面を直接張り合わせることが何度も試されているが、メラミンは接着性が悪いためうまく接着出来たものはなかった。【０００９】  つまりクリーナーとしての役目は一切果たしていないウレタンスポンジ層を除去してゴミの量を減らすことに貢献出来る上に製造コストも低減させることが出来る２層のスポンジクリーナーを提供することを課題とする。
【課題を解決するための手段】
【００１０】  上記課題を解決するために本発明のスポンジクリーナーは、メラミンスポンジ層（１）と脱着可能な素材（２）を直接特殊接着剤で２層に張り合わせてクリーナー部分（３）とすることを特徴とするスポンジクリーナーのクリーナー部分（３）の製造方法である。【００１１】  上記クリーナー部分（３）と、裏面に脱着部分（５）を有する取っ手（４）とを脱着部分（５）で合わせたことを特徴とするスポンジクリーナー。
【発明の効果】
【００１２】  従来の３層構造のスポンジクリーナーと比べるとウレタンスポンジ層が無いだけ素材点数が減少となりコストが低減出来る。そして従来の３層構造のものは片べりしていたが、本発明の２層構造にすることによって最後まで有効に利用出来る。手で直接持つ必要がないので人体にもやさしく、取っ手は脱着可能にすることによってメラミンスポンジ層が磨耗でなくなっても何回でも利用出来ることになるのでゴミの減少にもつながる画期的な発明と言うことが出来る。使用用途としては家具や自動車・電気製品以外に、食器類や浴槽などの汚れを取るのにも有効である。
【発明を実施するための最良の形態】
【００１３】  以下に本発明を実施するための最良の形態について詳しく説明する。
メラミン樹脂を発泡させて連続気泡体に形成されたメラミンスポンジ層（１）と、例えばマジックテープのメス面のような合成繊維からなる脱着可能な素材（２）を直接、特殊接着剤で２層に張り合わせてクリーナー部分（３）とすることを特徴とするスポンジクリーナーのクリーナー部分（３）を製造する。【００１４】  上記クリーナー部分（３）と裏面に例えばマジックテープのオス面のような脱着部分（５）を取り付けた取っ手（４）とを脱着部分（５）で合わせたことを特徴とするスポンジクリーナーを設ける。当然のことながら上記の説明はマジックテープで説明したが、これにこだわるのではなくこれ以外の方法も考えられる。【００１５】  本発明は上記のような構成からなり、これを使用する時は、家具や自動車・電気製品・食器などいろいろなものに付着した汚れた箇所をそのまま擦るだけで汚れを削り取ることが出来る。削り取られた汚れは、連続気泡の気泡内に入り水洗いするだけでこの汚れは簡単に洗い流され繰り返しの使用が可能となる。２層にしたことによりメラミンスポンジ層は、均一に減っていくためメラミンスポンジ層の最後まで有効に使用する事が出来るようになる。【００１６】  そしてメラミンスポンジ層がなくなったら、マジックテープ部分で取り外せば、新しいものとの交換も容易である。
【図面の簡単な説明】
【００１７】
【図１】      本発明のスポンジクリーナーの斜視図
【図２】      本発明のクリーナー部分の斜視図
【図３】      本発明の取っ手の底面図
【符号の説明】
【００１８】      （１）      メラミンスポンジ層
（２）      脱着可能な素材
（３）      クリーナー部分
（４）      取っ手
（５）      脱着部分
【図１】
2006212393.tif 000003
【図２】
2006212393.tif 000004
【図３】
2006212393.tif 000005